(57)【要約】【課題】過冷却状態の液体に対し簡単かつ確実に凍結を開始させることができ凍結開始装置を提供すること。【解決手段】本発明の凍結開始装置１は、−４℃以下の過冷却状態の液体９が内部に収納されたボトル６に超音波を付与してその液体９の凍結を開始させる装置である。凍結開始装置１は、ケーシング２と、ボトル６を設置する容器設置部３と、超音波を発生する超音波振動子と、回路部５とを有している。容器設置部３は、カップ状をなし、容器設置部３内には、容器設置部３に設置されたボトル６に超音波振動子４で発生した超音波を伝播する超音波伝播媒体８が貯留（収納）されている。【選択図】図１
2006300411.tif 000002
【特許請求の範囲】
【請求項１】
−４℃以下の過冷却状態の液体が内部に収納された容器に超音波を付与して前記液体の凍結を開始させる凍結開始装置であって、
超音波発生源と、
前記容器を設置する容器設置部と、
前記容器設置部に設置された容器に前記超音波発生源で発生した超音波を伝播する超音波伝播媒体とを有することを特徴とする凍結開始装置。
【請求項２】
前記容器設置部は、前記超音波伝播媒体を収納または保持し得る超音波伝播媒体保持部を有するものである請求項１に記載の凍結開始装置。
【請求項３】
前記容器設置部は、カップ状またはトレイ状をなすものである請求項１または２に記載の凍結開始装置。
【請求項４】
ケーシングを有し、前記容器設置部は、緩衝部材を介して前記ケーシングに支持されている請求項１ないし３のいずれかに記載の凍結開始装置。
【請求項５】
前記超音波伝播媒体は、液体である請求項１ないし４のいずれかに記載の凍結開始装置。
【請求項６】
前記超音波発生源による超音波の付与時間を規定するタイマーを有する請求項１ないし５のいずれかに記載の凍結開始装置。
【請求項７】
前記タイマーは、超音波の付与時間を連続的または段階的に設定可能である請求項６に記載の凍結開始装置。
【請求項８】
前記容器に少なくとも１色の光を照射する投光手段を有する請求項１ないし７のいずれかに記載の凍結開始装置。
【請求項９】
前記投光手段は、光源を有し、前記光源から発せられた光が前記超音波伝播媒体を透過して前記容器に照射されるよう構成されている請求項８に記載の凍結開始装置。
【請求項１０】
前記超音波発生源の作動と前記投光手段の作動とが連動するかまたは同期的になされるよう構成されている請求項８または９に記載の凍結開始装置。
【請求項１１】
前記容器は、液体を密閉した状態で収納し得る密閉容器である請求項１ないし１０のいずれかに記載の凍結開始装置。
【請求項１２】
前記液体は、前記容器内において空気と接触している請求項１１に記載の凍結開始装置。
【請求項１３】
前記容器は、上端部が開口したカップ状のものである請求項１ないし１０のいずれかに記載の凍結開始装置。
【請求項１４】
前記容器内に収納された液体は、アルコールを含有する液体である請求項１ないし１３のいずれかに記載の凍結開始装置。
【発明の詳細な説明】
【技術分野】
【０００１】
本発明は、凍結開始装置に関するものである。
【背景技術】
【０００２】
気体や液体等を過冷却状態にしたり、また、過冷却状態の気体や液体等を用いる種々の技術が知られている（例えば、特許文献１参照）。
【０００３】
例えば、ボトル内に収納された液体を過冷却状態にし、手作業によってそのボトルを振ると、ボトル内の液体が凍結を開始し、その液体をシャーベット状にすることができる。
【０００４】
しかしながら、従来では、液体をシャーベット状にするために手作業によってボトルを振っていたので、手間がかかるとともに、液体がシャーベット状になるまでに長時間を要していた。また、液体が凍結を開始しなかったり、また、シャーベット状にならない場合もあり、確実性も低かった。
【０００５】
また、ボトルのように密閉されていないグラス内の液体は、そのグラスを振るだけでは凍結を開始せず、凍結を開始させるためには、液体に氷粒のような核（種）を混入させてグラスを振る必要があり、さらに手間と時間がかかり、また、確実性もさらに低かった。また、グラスを用いる場合は、そのグラスを振る際、グラス内の液体がこぼれることもあり、液体が少量注がれている場合しか凍結させることができなかった。
【０００６】
【特許文献１】特開２００５−１６７９６号公報
【発明の開示】
【発明が解決しようとする課題】
【０００７】
本発明の目的は、過冷却状態の液体に対し簡単かつ確実に凍結を開始させることができ凍結開始装置を提供することにある。
【課題を解決するための手段】
【０００８】
このような目的は、下記（１）〜（１４）の本発明により達成される。
（１）  −４℃以下の過冷却状態の液体が内部に収納された容器に超音波を付与して前記液体の凍結を開始させる凍結開始装置であって、
超音波発生源と、
前記容器を設置する容器設置部と、
前記容器設置部に設置された容器に前記超音波発生源で発生した超音波を伝播する超音波伝播媒体とを有することを特徴とする凍結開始装置。
【０００９】
（２）  前記容器設置部は、前記超音波伝播媒体を収納または保持し得る超音波伝播媒体保持部を有するものである上記（１）に記載の凍結開始装置。
【００１０】
（３）  前記容器設置部は、カップ状またはトレイ状をなすものである上記（１）または（２）に記載の凍結開始装置。
【００１１】
（４）  ケーシングを有し、前記容器設置部は、緩衝部材を介して前記ケーシングに支持されている上記（１）ないし（３）のいずれかに記載の凍結開始装置。
【００１２】
（５）  前記超音波伝播媒体は、液体である上記（１）ないし（４）のいずれかに記載の凍結開始装置。
【００１３】
（６）  前記超音波発生源による超音波の付与時間を規定するタイマーを有する上記（１）ないし（５）のいずれかに記載の凍結開始装置。
【００１４】
（７）  前記タイマーは、超音波の付与時間を連続的または段階的に設定可能である上記（６）に記載の凍結開始装置。
【００１５】
（８）  前記容器に少なくとも１色の光を照射する投光手段を有する上記（１）ないし（７）のいずれかに記載の凍結開始装置。
【００１６】
（９）  前記投光手段は、光源を有し、前記光源から発せられた光が前記超音波伝播媒体を透過して前記容器に照射されるよう構成されている上記（８）に記載の凍結開始装置。
【００１７】
（１０）  前記超音波発生源の作動と前記投光手段の作動とが連動するかまたは同期的になされるよう構成されている上記（８）または（９）に記載の凍結開始装置。
【００１８】
（１１）  前記容器は、液体を密閉した状態で収納し得る密閉容器である上記（１）ないし（１０）のいずれかに記載の凍結開始装置。
【００１９】
（１２）  前記液体は、前記容器内において空気と接触している上記（１１）に記載の凍結開始装置。
【００２０】
（１３）  前記容器は、上端部が開口したカップ状のものである上記（１）ないし（１０）のいずれかに記載の凍結開始装置。
【００２１】
（１４）  前記容器内に収納された液体は、アルコールを含有する液体である上記（１）ないし（１３）のいずれかに記載の凍結開始装置。
【発明の効果】
【００２２】
本発明によれば、過冷却状態の液体に対し簡単かつ確実に凍結を開始させることができる。
【００２３】
また、超音波発生源による超音波の付与時間を規定するタイマーを有する場合には、凍結度合いの調整を容易かつ確実に行なうことができる。
【発明を実施するための最良の形態】
【００２４】
以下、本発明の凍結開始装置について添付図面に示す好適実施形態に基づいて詳細に説明する。
【００２５】
図１は、本発明の凍結開始装置の第１実施形態を示す断面図、図２は、図１に示す凍結開始装置の回路構成を示すブロック図、図３は、本発明の凍結開始装置の第１実施形態における変形例を示す図（（ａ）は、凍結開始装置を示す断面図、（ｂ）は、凍結開始装置の升を示す平面図）である。
【００２６】
なお、説明の都合上、図１および図３（ａ）において、図中の上側を「上」、下側を「下として説明する。
【００２７】
これらの図に示す凍結開始装置１は、過冷却の状態（過冷却状態）の液体９が内部に収納された容器としてのボトル６に超音波を付与してその液体９の凍結を開始させる装置である。
【００２８】
図１に示すように、凍結開始装置１は、ケーシング２と、ボトル（容器）６を設置する容器設置部３と、超音波を発生する超音波振動子（超音波発生源）４と、回路部５とを有している。容器設置部３、超音波振動子４および回路部５は、それぞれ、ケーシング２の内側に設置されている。
【００２９】
ケーシング２は、箱状をなし、その上端部は、開口している。
容器設置部３は、カップ状をなしている。この容器設置部３の上端部の外周部３１は、ケーシング２の上端部の内周部２１に、環状の弾性部材で構成される緩衝部材７を介して連結（固定）されている。また、容器設置部３の前記外周部３１以外の部位（部分）は、ケーシング２から離間している。これにより、容器設置部３は、ケーシング２に保持（支持）された状態で、自在に振動することができる。そして、容器設置部３がカップ状をなしており、十分な深さを有するため、この容器設置部３に設置されたボトル６に手等が触れたとしても、ボトル６が倒れてしまうのを防止することができる。
【００３０】
また、緩衝部材７により、容器設置部３からケーシング２への振動の伝達が阻止される。これにより、振動音の発生を防止することができる。
【００３１】
この容器設置部３の構成材料としては、例えば、ステンレス鋼等の各種金属や各種樹脂等が用いられる。
【００３２】
なお、容器設置部３の形状は、カップ状に限らず、例えば、トレイ状等であってもよい（容器設置部３の深さは、特に限定されない）。
【００３３】
また、容器設置部３の底部３２の下側面（外側面）には、超音波振動子４が設置（固定）されている。これにより、超音波振動子４が振動すると、これとともに容器設置部３が振動し、これら超音波振動子４および容器設置部３から超音波が発生する。この超音波は、後述する超音波伝播媒体８を介して、ボトル６に付与される。
【００３４】
また、容器設置部３は、超音波伝播媒体８を収納または保持し得る超音波伝播媒体保持部を兼ねる（有する）。
【００３５】
すなわち、容器設置部３内には、容器設置部３に設置されたボトル６に超音波振動子４で発生した超音波を伝播する超音波伝播媒体８が貯留（収納）されている。
【００３６】
本実施形態では、超音波伝播媒体８として、液体が用いられている。この液体としては、例えば、水等を使用することができる。この水は、例えば、美的感覚の向上を目的として、着色されたものでもよい。
【００３７】
超音波伝播媒体８の温度は、常温でもよいが、比較的低く設定されているのが好ましく、具体的には、２０℃以下であるのが好ましく、０〜１８℃程度であるのがより好ましい。
【００３８】
なお、本実施形態では、超音波伝播媒体８として液体を用いている（超音波伝播媒体８は液状をなしている）が、これに限らず、超音波伝播媒体８は、例えば、ゼリー状等のものでもよい。また、超音波伝播媒体８として、ソフトラバー等を用いてもよく、この場合、ゼリーを併用するのが好ましい。このような場合には、その超音波伝播媒体は、容器設置部３の底部３２の上側面（内側面）に設置（保持）され、ボトル６は、超音波伝播媒体上に載置されるように構成するのが好ましい。
【００３９】
また、超音波伝播媒体８のボトル６に対する水位は、図示例では、ボトル６の略１／２であるが、これに限らず、図示例よりも低くてもよく（例えば、ボトル６の略１／４）、また、図示例よりも高くてもよい（例えば、ボトル６の略３／４）。
【００４０】
超音波振動子４から発生する超音波の周波数は、凍結させる液体９の種類や諸条件に応じて適宜設定されるが、１０ｋＨｚ以上であるのが好ましく、２０〜４０ｋＨｚ程度であるのがより好ましい。
【００４１】
超音波の周波数を前記下限値以上に設定することにより、より確実に液体９の凍結を開始させることができる。
【００４２】
また、消費電力は５ｗ以上であるのが好ましく、１０〜４０ｗ程度であるのがより好ましい。前記上限値を超える出力では、使用電力量でコストが高くなる。
【００４３】
ボトル６の内部には、過冷却状態の液体９が収納されている。
過冷却（過冷却状態）とは、相転移温度（融点）以下に冷却しても、液体に転移（固体化すること）が起こらず、液相を保っている状態を言う。
【００４４】
ボトル６は、着脱自在のキャップ（例えば、スクリューキャップ）６１を有しており、そのキャップ６１の装着により、ボトル６内が密閉されている。すなわち、ボトル６は、液体９を密閉した状態で収納し得る密閉容器である。
【００４５】
また、ボトル６の上部には、少量の空気が収納されており、液体９は、ボトル６内において空気と接触している。このように液体９が空気と接触することにより、空気と接触していない場合に比べて、超音波を付与した際、凍結が開始され易くなる。
【００４６】
また、液体９には、微小な気泡が含まれているのが好ましい。これにより、さらに凍結が開始され易くなる。この場合は、ボトル６の上部の空気が無くてもよい。
【００４７】
なお、液体９が空気と接触していなくても超音波の付与により凍結が開始されるので、本発明では、液体９が空気と接触していなくてもよい。
【００４８】
過冷却状態の液体９の温度は、その液体９の種類や諸条件に応じて、−４℃以下の所定の温度に適宜設定される。液体９の温度が−４℃よりも高いと、液体９の凍結を開始させることが困難となる。
【００４９】
また、液体９の温度は、特に、−４〜−２０℃程度であるのが好ましく、−５〜−１５℃程度であるのがより好ましい。
【００５０】
また、液体９をアルコールを含有しない液体とアルコールを含有する液体とに大別すると、アルコールを含有しない場合の温度は、−４〜−８℃程度であるのが好ましく、アルコールを含有する場合の温度は、−９〜−１５℃程度であるのが好ましい。
【００５１】
液体９の温度を前記範囲内に設定することにより、より簡単かつ確実に液体９の凍結を開始させることができ、また、意図しない液体９の凍結が生じてしまうのを防止することができる。
【００５２】
ここで、液体９にアルコールが含まれている場合は、液体９を過冷却状態に保つことができる最低温度（液状保持最低温度）が、アルコールが含まれていない場合に比べて低い。これにより、アルコールが含まれている場合は、アルコールが含まれていない場合に比べて、液体９の温度を低くすることができ、これによって、超音波を付与した際、凍結が開始され易くなる。
【００５３】
ボトル６内に収納される液体９としては、例えば、日本酒（清酒）、焼酎、ワイン、シャンペン、ウィスキー、ブランデー、フローズンカクテル用の液体（凍結によりフローズンカクテルになる液体）、または、それらの希釈物等のアルコール飲料（アルコールを含有する飲料）、水、ウーロン茶、緑茶、ジュース、サイダー等のアルコールを含有しない飲料等、各種飲料が挙げられる。そして、前述したように、ボトル６内の液体９にアルコールが含まれているとその液体９が凍結し易いので、これらのうちでは、凍結開始装置１は、アルコール飲料（アルコールを含有する液体）に適している。
【００５４】
また、前記ボトル６内に収納される液体９としては、飲料以外の液体、例えば、洗浄液、冷却液（熱さまし用等）でもよい。この場合も、前記と同様の理由で、凍結開始装置１は、アルコールを含有する液体に適している。
【００５５】
液体９を過冷却状態にするには、冷却速度を比較的小さく（遅く）設定し、かつ、液体９を均一に冷却する。この場合、冷却速度は、その液体９の種類等に応じて適宜設定されるが、０．１〜５℃／時間程度であるのが好ましく、２〜５℃／時間程度であるのがより好ましい。
【００５６】
液体９を過冷却状態にする装置（システム）としては、例えば、過冷却冷蔵保管庫等を用いることができる。この過冷却冷蔵保管庫を用いる場合は、過冷却状態になった液体９が収納されたボトル６は、過冷却冷蔵保管庫内に保管され、必要時に過冷却冷蔵保管庫から取り出される。
【００５７】
図１および図２に示すように、凍結開始装置１は、さらに、複数の光源１１と、種々の操作スイッチや操作ダイヤル等が設けられた操作部１２と、コンセントに接続されて交流電圧（電力）を取り込むソケット１３とを有している。これら各光源１１、操作部１２、ソケット１３および超音波振動子４は、それぞれ、回路部５に電気的に接続されている。
【００５８】
図２に示すように、回路部５は、超音波振動子４等の駆動（作動）／停止を切り替えるスイッチ（オン／オフ切替部）１４と、超音波振動子４による超音波の付与時間を規定するタイマー１５と、整流回路（ＡＣ／ＤＣ変換部）１６と、超音波振動子４を駆動する発振回路（超音波振動子駆動回路）１７と、各光源１１をそれぞれ駆動する光源駆動回路１８とを有している。
【００５９】
図１に示すように、各光源１１は、容器設置部３の底部３２の上側面に設置されている。また、各光源１１は、容器設置部３上に設置されたボトル６の外周側に、そのボトル６を取り囲むように等間隔（等角度間隔）で配置されている。
【００６０】
各光源１１から発せられた光は、それぞれ、超音波伝播媒体８を透過してボトル６に照射され、これにより、ボトル６や超音波伝播媒体８等がライトアップされる。液体９が結晶化してゆく過程において、その液体９に光が照射されると、結晶で光が反射し、結晶が成長する過程や、結晶の状態（成長状態）を、光の反射として見ることができる。これによって、例えば、凍結開始装置１をバー、クラブ、スナック等、比較的暗所で使用したとき、視覚的な効果（例えば、ボトル６内のアルコール飲料がより美味そうに見えたり、楽しい気分となる等）が得られる。
【００６１】
本実施形態では、前記各光源１１および光源駆動回路１８により、投光手段が構成され、この投光手段の作動と超音波振動子４の作動とが連動するようになっている。すなわち、光源１１と超音波振動子４のオン／オフが同時に実行される。これにより、光源１１がパイロットランプのように機能し、超音波振動子４が駆動してボトル６へ超音波が付与されているか否かを容易に把握することができる。
【００６２】
また、投光手段の作動と超音波振動子４の作動とが同期的になされるように構成されていてもよい。すなわち、例えば、超音波振動子４がオフしてから所定時間後（例えば、１０秒後）に光源１１がオフするようになっていてもよい。この場合は、超音波振動子４が振動を停止した後、ライトアップされた状態で、液体９が所定の凍結度に凍結した状態を見ることができる。
【００６３】
また、各光源１１の駆動パターンは、特に限定されず、例えば、連続的に駆動する（発光させる）パターン、間欠的に駆動する（点滅させる）パターン、所定の順番に順次駆動するパターン等が挙げられ、また、これらの各パターンを任意に組み合わせてもよい。
【００６４】
また、各光源１１としては、照射光の色が同一のものを用いてもよく（照射光の色が１色の投光手段を用いてもよく）、また、照射光の色が異なるものを用いてもよい（照射光の色が複数色の投光手段を用いてもよい）。照射光の色が２色以上の場合は、例えば、光源１１を所定の順番に順次駆動することにより、ボトル６に照射される光の色を順次換えることができる。
【００６５】
また、各光源１１としては、発光し得る光の色が１色のみのものを用いてもよく、また、発光し得る光の色が複数色のものを用いてもよい。
【００６６】
光源１１としては、例えば、発光ダイオード、有機ＥＬ（エレクトロルミネッセンス）、ランプ等を用いることができる。
【００６７】
なお、本実施形態では、光源１１の数は複数であるが、光源１１の数は１つであってもよい。
【００６８】
また、投光手段と超音波振動子４とが連動、同期しないように構成されていてもよい。
また、光源１１が移動（例えば、周方向に移動）するように構成されていてもよい。
【００６９】
また、複数の光源１１が周方向沿って配置され、そのうちの１つまたは２つ程度が順次点滅し（所定時間点灯していた１つまたは２つの光源１１が消灯すると、その隣の１つまたは２つの光源が所定時間点灯し、この動作を繰り返す）、発光位置（発光点）が周方向に移動するように構成されていてもよい。これにより、さらに美しく見える。
【００７０】
図２に示すタイマー１５は、超音波振動子４によるボトル６への超音波の付与時間を規定するもの（図２に示す構成例では、スイッチ１４のオン時間を規定するもの）である。このタイマー１５により、液体９の凍結度合いの調整を容易かつ確実に行なうことができる。また、液体９は、過度に凍結するとボトル６から出なくなるので、そのような液体９の過度の凍結を防止することができる。
【００７１】
タイマー１５としては、超音波の付与時間を連続的に設定（調整）可能なものを用いてもよく、また、段階的に設定可能なものを用いてもよい。なお、その設定は、操作部１２により行なうことができるようになっている。また、操作部１２には、タイマー１５において予め設定されている所定時間が経過していないときでも強制的に超音波振動子４の振動を停止させる図示しない停止スイッチが設けられている。
【００７２】
次に、図１および図２に基づいて、凍結開始装置１の作用および使用手順（使用方法）の１例を説明する。
【００７３】
図１に示すように、凍結開始装置１の容器設置部３内には、適量の超音波伝播媒体８が収納されており、まず、過冷却状態の液体９が収納されたボトル６をその容器設置部３内に設置する。この場合、例えば、過冷却冷蔵保管庫等に保管されているボトル６を取り出し、そのボトル６を用いる。
【００７４】
次に、操作部１２の図示しない始動スイッチをオンする。これにより、スイッチ１４がオンし、整流回路１６により交流電圧が直流電圧に変換され、その電圧（電力）が発振回路１７および光源駆動回路１８にそれぞれ印加（供給）され、これら発振回路１７および光源駆動回路１８がそれぞれ駆動する。
【００７５】
超音波振動子４は、発振回路１７から入力される駆動電圧により、所定の周波数で振動する。これにより、超音波振動子４とともに容器設置部３が振動し、これら超音波振動子４および容器設置部３から超音波が発生する。この超音波は、超音波伝播媒体８を介して、ボトル６に付与される。これによって、ボトル６内の液体９が凍結を開始する。超音波がボトル６に付与されている間、液体９の凍結が進行する（凍結度合いが徐々に大きくなる）。
【００７６】
一方、各光源１１は、それぞれ、光源駆動回路１８から入力される駆動電圧により、所定のパターンで発光する。各光源１１から発せられた光は、それぞれ、超音波伝播媒体８を透過してボトル６に照射され、凍結の進行状況の把握を容易にする。
【００７７】
タイマー１５において予め設定されている所定時間が経過すると、スイッチ１４がオフし、超音波振動子４の振動および各光源１１の発光がすべて停止する。なお、光源１１は、超音波振動子４に遅れて消灯してもよい。
【００７８】
これにより、ボトル６内の液体９は、目標の凍結度合いまで凍結し、その状態で凍結の進行が停止する。これによって、目標の凍結度で凍結したもの（例えば、シャーベット状に凍結したもの）が得られる。
【００７９】
以上説明したように、この凍結開始装置１によれば、過冷却状態の液体９に対し、簡単かつ確実に凍結を開始させることができ、容易、迅速かつ確実に、液体９を目標の凍結度合いとなるように凍結させることができる。
【００８０】
なお、本実施形態では、光源１１が容器設置部３の底部３２の上側に位置しているが、本発明では、光源１１の位置はこれに限らず、例えば、光源１１が容器設置部３の底部３２の下側（下方）に位置していてもよい。
【００８１】
光源１１を容器設置部３の底部３２の下側に設置する場合は、容器設置部３のうち、少なくともその底部３２の光源１１に対応する部位を、光透過性を有する部材（透明部材）で構成する。これにより、光源１１から発せられた光は、容器設置部３の底部３２および超音波伝播媒体８を透過してボトル６に照射される。
【００８２】
また、本発明では、容器設置部３に、複数のボトル（容器）６を設置できるようになっていてもよい。これにより、同時に、複数のボトル６内の液体９を所定の凍結度合いとなるように凍結させることができる。
【００８３】
次に、図３に基づいて、前述した凍結開始装置１の変形例について説明する。
図３に示すように、この凍結開始装置１は、日本酒（日本酒の凍結の開始）に好適に用いることができる装置であり、さらに、升４１を有している。この升４１は、好ましくは、木材で構成され、底が無く、ケーシング２の上端部の上側に設置されている。
【００８４】
また、升４１がケーシング２に対して着脱自在であってもよい。これにより、升４１をケーシング２から取り外すことによって、日本酒以外のものにも違和感なく用いることができる。
【００８５】
次に、本発明の凍結開始装置の第２実施形態について説明する。
図４は、本発明の凍結開始装置の第２実施形態を示す断面図である。
【００８６】
以下、第２実施形態の凍結開始装置１について、前述した第１実施形態との相違点を中心に説明し、同様の事項については、その説明を省略する。また、説明の都合上、図４中の上側を「上」、下側を「下として説明する。
【００８７】
図４に示すように、第２実施形態の凍結開始装置１では、容器設置部３の形状がトレイ状をなしている。
【００８８】
また、過冷却状態の液体９が内部に収納された容器として、上端部が開口したカップ状のもの、図示例では、グラス４２が用いられている。
【００８９】
この凍結開始装置１を用いてグラス４２内の液体９を所定の凍結度合いとなるように凍結させる際は、例えば、過冷却冷蔵保管庫等に保管されている過冷却状態の液体９が収納された容器等からその液体９をグラス４２内に注ぎ、そのグラス４２を容器設置部３内に設置する。または、グラス４２を容器設置部３内に設置した後、グラス４２内に液体９を注ぐ。
【００９０】
この凍結開始装置１によれば、前述した第１実施形態の凍結開始装置１と同様の効果が得られる。
【００９１】
また、グラス４２内に注がれた液体９の量にかかわらず（例えば、液体９の量が多い場合でも）、液体９をこぼすことなく、その液体を凍結させることができる。
【００９２】
そして、この凍結開始装置１では、過冷却状態の液体を収納する容器としてグラス４２を用いるので、例えば、バー等でフローズンカクテル等を作る際、それを必要な数だけ作ることができ、そのままお客さんに提供することができる。
【００９３】
以上、本発明を図示の各実施形態に基づいて説明したが、本発明はこれらに限定されるものではなく、各部の構成は、同様の機能を発揮し得る任意の構成と置換することができ、また、任意の構成が付加されていてもよい。
【００９４】
また、本発明は、前記各実施形態のうちの、任意の２以上の構成（特徴）を組み合わせたものであってもよい。
【図面の簡単な説明】
【００９５】
【図１】本発明の凍結開始装置の第１実施形態を示す断面図である。
【図２】図１に示す凍結開始装置の回路構成を示すブロック図である。
【図３】本発明の凍結開始装置の第１実施形態における変形例を示す図である。
【図４】本発明の凍結開始装置の第２実施形態を示す断面図である。
【符号の説明】
【００９６】
１          凍結開始装置
２          ケーシング
２１        内周部
３          容器設置部
３１        外周部
３２        底部
４          超音波振動子
５          回路部
６          ボトル
６１        キャップ
７          緩衝部材
８          超音波伝播媒体
９          液体
１１        光源
１２        操作部
１３        ソケット
１４        スイッチ
１５        タイマー
１６        整流回路
１７        発振回路
１８        光源駆動回路
４１        升
４２        グラス
【図１】
2006300411.tif 000003
【図２】
2006300411.tif 000004
【図３】
2006300411.tif 000005
【図４】
2006300411.tif 000006